(57)【特許請求の範囲】
【請求項１】
光源を内蔵しているとともに球面の一部をその表面に含む灯具と；
上記光源からの光が照射される上記灯具の正面側で上記球面の一部を構成する上記灯具の外面に接触して当該灯具を回転可能に支える摺動ガイド部と；
この摺動ガイド部に上記灯具の上記外面を押し付けるように、上記灯具の背面側で上記球面の一部を構成する上記灯具の背面に押圧力を作用せしめるばねと；
上記背面と上記ばねの間に配置された樹脂製の接触部材と；
上記ばねの押圧力に抗して上記灯具が上記背面側に押し込まれたとき、上記ばねが永久変形する手前で当該灯具の移動を規制するストッパと；を有し、
上記灯具は、
上記背面を有するとともに上記光源を取り付けた金属製の背面側部位と；
上記外面を有する正面側部位と；を有し、
上記摺動ガイド部および正面側部位のうち一方を金属材料によって形成し、他方を樹脂材料によって形成したことを特徴とする照明器具。
【請求項２】
上記灯具の正面側から見て上記外面の少なくとも一部と上記摺動ガイド部を覆うとともに、上記灯具の回転を一定の変向角度内に規制する変向規制部をさらに有し、
上記灯具を上記一定の変向角度の範囲内で変向させたときに上記摺動ガイド部が摺接する上記外面上の摺接部位が、上記灯具の向きに係らず、上記正面側から見えないように、当該摺接部位が上記変向規制部によって常に隠される位置関係で、上記摺動ガイド部を位置決め配置したことを特徴とする請求項１に記載の照明器具。
【発明の詳細な説明】
【技術分野】
【０００１】
本発明は、光の照射方向を変更できる照明器具に係り、例えば、鉄道車両、航空機、船舶などの輸送手段の座席近くに取り付けられる読書灯に関する。
【背景技術】
【０００２】
従来、この種の照明器具として、例えば、略球状の外形を有する灯具を概ね筒状の器具本体内に回転可能に保持することで、光の照射方向を変更可能にしたダウンライトが知られている（例えば、特許文献１参照。）。このダウンライトを組み立てる場合、器具本体の内周を部分的に狭くして形成した円形開口の縁に灯具を載置し、この開口の縁に灯具を押し付けるように灯具の裏面側から板ばねを取り付ける。
【０００３】
この構造によって、灯具は、器具本体の円形開口の縁と灯具の球面状の外面との間の摩擦力、および灯具の背面と板ばねとの間の摩擦力によって、静止状態に保持される。また、灯具は、外力によって、その外面を円形開口の縁に対して摺動させながら向きを変えられる。つまり、この構造を採用することによって、灯具に内蔵されたＬＥＤからの光の照射方向を変えることができる。
【先行技術文献】
【特許文献】
【０００４】
【特許文献１】特開２００５−１４９７９０号公報
【発明の概要】
【発明が解決しようとする課題】
【０００５】
この種の照明器具では、灯具の向きを変える操作によって、灯具の外面と器具本体の円形開口の縁とが摺接する。しかし、上述した特許文献１には、こうした擦れ合いが照明器具の長期にわたる使用によって繰り返されることによる問題について開示がない。
【０００６】
また、特許文献１には、円形開口を有した器具本体の材質が樹脂成形品またはアルミダイカスト製であることについて記載があるが、灯具の各部の材質については記載がない。つまり、器具本体側の摺接部位と灯具側の摺接部位がどのような材質の組み合わせであるかについては不明である。
【０００７】
仮に、灯具側の摺接部位と器具本体側の摺接部位がともに金属である場合には、次の問題を生じる。この組み合わせの場合、通常、灯具の外面には、摺動を円滑にするためのメッキ処理が施される。しかし、このメッキ層は、灯具の向きを変える操作を繰り返すうちに次第に摩耗する。このため、メッキ層の摩耗が進行すると、金属地肌面が露出して互いに接し合うようになる。そうすると、金属地肌面同士がかじって（ｇａｌｌｉｎｇ）摺動性が低下し、灯具の向きを変える操作が重くなって、円滑に向きを変えることができなくなる。
【０００８】
一方、灯具側の摺接部位と器具本体側の摺接部位がともに樹脂である場合には、両者間の動摩擦係数が比較的小さく、回転動作時における摺動を比較的円滑にできる反面、静止摩擦係数が比較的大きく、静止状態から回転を開始するときに「キュッ」という音が鳴り、円滑な回転ができない。また、このような、樹脂同士の摩擦は、環境温度によって変化し、温度が高くなると一般には静止摩擦係数が大きくなることが知られている。
【０００９】
その上、灯具と器具本体がいずれも樹脂によって形成されている場合には、放熱性能が低下する問題も生じる。つまり、樹脂は金属と比較して遥かに熱伝導性が悪いので、灯具を樹脂で形成すると、ＬＥＤが発する熱を効果的に放熱できなくなる。このため、ＬＥＤの発光効率を維持する上で必要とされる程度の放熱性能を得るためには、灯具を大形化しなければならないといった新たな問題を生じる。
【００１０】
本発明の目的は、放熱性が良く、灯具の向きを変える操作性を長期間にわたって良好に持続できる照明器具を提供することにある。
【課題を解決するための手段】
【００１１】
上記目的を達成するため、この発明の照明器具は、光源を内蔵しているとともに球面の一部をその表面に含む灯具と；上記光源からの光が照射される上記灯具の正面側で上記球面の一部を構成する上記灯具の外面に接触して当該灯具を回転可能に支える摺動ガイド部と；この摺動ガイド部に上記灯具の上記外面を押し付けるように、上記灯具の背面側で上記球面の一部を構成する上記灯具の背面に押圧力を作用せしめるばねと；上記背面と上記ばねの間に配置された樹脂製の接触部材と；上記ばねの押圧力に抗して上記灯具が上記背面側に押し込まれたとき、上記ばねが永久変形する手前で当該灯具の移動を規制するストッパと；を有し、上記灯具は、上記背面を有するとともに上記光源を取り付けた金属製の背面側部位と；上記外面を有する正面側部位と；を有し、上記摺動ガイド部および正面側部位のうち一方を金属材料によって形成し、他方を樹脂材料によって形成したことを特徴とする。
【００１２】
上記発明によると、摺動ガイド部と灯具の正面側部位の一方を金属材料で形成し、他方を樹脂材料で形成したため、摺動ガイド部と正面側部位の摺接部位同士のなじみが良く、両者の間でかじりを生じることはない。また、上記発明によると、灯具を変向させる操作を繰り返しても、長期間にわたって良好な操作性を維持できる。また、上記発明によると、灯具の光源を取り付けた背面側部位を金属材料によって形成したため、光源からの熱を効果的に背面側部位に伝導させることができ、放熱性能を高めることができる。
【００１３】
例えば、摺動ガイド部を樹脂材料で形成し、灯具の正面側部位を金属材料で形成した場合、光源からの熱は、上述したように背面側部位に伝導されるだけではなく、正面側部位にも効果的に伝導される。この場合、灯具全体で光源からの熱を効果的に放熱でき、灯具の小形化を促進することができる。逆に、摺動ガイド部を金属材料で形成し、正面側部位を樹脂材料で形成した場合、灯具の正面側部位が高温に加熱される心配がなく、灯具を変向させる操作のときに、操作者の指に火傷を負わせる心配がない。
【００１４】
また、上記発明の照明器具は、上記背面と上記ばねの間に配置された樹脂製の接触部材をさらに有する。例えば、接触部材をばねに固設して背面に摺接させる場合、背面と接触部材との間のなじみが良く、長期にわたって良好な摺動性を維持できる。また、逆に、接触部材を背面に固設してばねに摺接させる場合も、同様の効果が期待できる。
【００１５】
また、上記発明の照明器具は、上記ばねの押圧力に抗して上記灯具が上記背面側に押し込まれたとき、上記ばねが永久変形する手前で当該灯具の移動を規制するストッパをさらに有する。これにより、灯具が背面側に押し込まれたとき弾性変形するばねを保護することができ、長期にわたって灯具に作用する摩擦力を一定に保持できる。
【００１６】
さらに、上記発明の照明器具において、上記灯具の正面側から見て上記外面の少なくとも一部と上記摺動ガイド部を覆うとともに、上記灯具の回転を一定の変向角度内に規制する変向規制部をさらに有する場合もある。この場合、上記灯具を上記一定の変向角度の範囲内で変向させたときに上記摺動ガイド部が摺接する上記外面上の摺接部位が、上記灯具の向きに係らず、上記正面側から見えないように、当該摺接部位が上記変向規制部によって常に隠される位置関係で、上記摺動ガイド部を位置決め配置した。
【００１７】
灯具の変向を繰り返して摺動ガイド部と灯具の正面側部位が摺接すると、正面側部位の球面状の外面に擦り傷が形成され、外面に摺動汚れが生じる。例えば、正面側部位が樹脂材料によって形成されている場合、この正面側部位の外面に比較的大きな傷からなる擦れた跡が形成される。また、正面側部位が金属材料によって形成されている場合、この正面側部位の外面に微細な擦り傷が形成され、樹脂材料によって形成された摺動ガイド部の摩耗粉が付着し、外面に擦れた跡が例えば黒っぽい摺動汚れとなって形成される。このような摺動汚れが、照明器具の正面側に露出して視認されることは、照明器具の体裁を損なうので、好ましくない。
【００１８】
このため、上記発明では、摺動ガイド部が摺接する外面の摺接部位が、灯具の向きに係らず、正面側から見えない位置に形成されるように、摺動ガイド部を位置決め配置した。これにより、灯具が最大に変向された場合でも、その正面側部位の外面が摺動ガイド部で擦られた箇所が、変向規制部を越えて露出することがない。そのため、摺動汚れが外面に形成されることがあっても、その摺動汚れが、照明器具を正面側から見て視認されないようにできる。
【発明の効果】
【００１９】
本願の請求項１に記載した発明によると、放熱性が良く、灯具の向きを変える操作性を長期間にわたって良好に持続できる照明器具を提供できる。
【００２０】
また、本願の請求項１に記載した発明によると、灯具とばねの間のかじりを防止でき、灯具の操作性を長期にわたって良好にできる。
【００２１】
また、本願の請求項１に記載した発明によると、ばねの永久変形を防止でき、長期にわたって灯具に作用する摩擦力を一定に保持できる。
【００２２】
さらに、本願の請求項２に記載した発明によると、灯具の外面に形成された摺動汚れが、照明器具を正面側から見て視認されないため、長期間にわたり照明器具の体裁を低下しないように維持できる。
【図面の簡単な説明】
【００２３】
【図１】図１は、本発明の照明器具の一実施形態に係る読書灯をその変向規制部を取除いた状態で背面側から見た斜視図である。
【図２】図２は、図１の変向規制部を取り除いた状態の読書灯を正面側から見た斜視図である。
【図３】図３は、変向規制部を備えた図１の読書灯を分解した分解斜視図である。
【図４】図４は、図３に分解斜視図で示した読書灯を中心軸に沿って切断した断面図である。
【図５】図５は、図４の読書灯をＶ−Ｖで切断した断面図である。
【図６】図６は、図５の読書灯を分解した断面図である。
【発明を実施するための形態】
【００２４】
以下、図１〜図６を参照して、本発明の照明器具の一実施形態について、読書灯１を例にとって説明する。  
図１は、この読書灯１の背面側の構造を示す斜視図であり、図２は、この読書灯１の正面側の構造を示す斜視図であり、図３は、この読書灯１を分解した分解斜視図であり、図４は、この読書灯１を中心軸に沿って切断した断面図であり、図５は、図４の線Ｖ−Ｖに沿って読書灯１を切断した断面図であり、図６は、図５の読書灯１を分解して示す断面図である。
【００２５】
この読書灯１は、例えば、鉄道車両、航空機、船舶など乗客を乗せる輸送手段の座席の近くに設置される。この読書灯１は、座席に座った人が読書をする場合など、照明のためのスポット光を手元に照射するためのものである。なお、この読書灯１は、スポット光の向きを僅かに変向可能な構造を有する。
【００２６】
図４及び図５に示すように、この読書灯１の設置部材Ａは、通孔Ｂを有した金属板等によって形成されている。この設置部材Ａは、読書灯１を輸送手段に取り付ける取り付け具として機能する。
【００２７】
読書灯１は、灯具１１、電線２６、器具本体３１、ばね４１、およびストッパ５１を有する。電線２６は、絶縁被覆されている。ばね４１は、例えば、金属板を図示の形状に加工した板バネである。
【００２８】
図３〜図６に示すように、灯具１１は、カバー１２（正面側部位）、灯具ボディ１５（背面側部位）、光源２０、レンズ２２などを有する。  
カバー１２は、灯具１１の正面側の部分を構成し、正面側に突出した球面の一部１２ａ（以下、単に、外面１２ａと称する）、およびこの球面状の外面１２ａの中央から正面側にさらに突出した円筒部１３を一体に有する。つまり、カバー１２は、概ねお椀形に形成されている。本実施形態では、外面１２ａおよび円筒部１３を一体に有するカバー１２を、軽量で耐熱性に優れ且つ比較的安価なＰＢＴ（ポリ・ブタジエン・テレフタレート）で形成した。
【００２９】
円筒部１３の外面１２ａから離間した先端、すなわち灯具１１の正面側の端部は開放されており、カバー１２の円筒部１３と反対側の背面側の端部（背面側開放端）も開放されている。この背面側開放端は、外面１２ａの最大外径部（後述する交差直線Ｆと交差する部位）を僅かに越えて背面側に延びている。つまり、交差直線Ｆと交差する部位から背面側開放端に至る開放端部１２ｂ（図５参照）の外径は、灯具１１の背面に向けて徐々に小さくなっている。
【００３０】
灯具ボディ１５は、灯具１１の背面側の部分を構成し、金属、好ましくは鉄よりも軽量でかつ熱伝導性も優れるアルミニウム又はその合金の鋳込みによって形成される。本実施形態では、灯具ボディ１５をアルミダイカストで形成した。この灯具ボディ１５は、ボディ基部１６、背面側凸部１７、および一対の円弧状部１８を一体に有する。
【００３１】
ボディ基部１６は、カバー１２の背面側開放端からカバー１２の内側に挿入配置される部分であり、このボディ基部１６の挿入側の端面、すなわち、ボディ基部１６の正面側の端面１６ａ（図６参照）は、平坦面になっている。
【００３２】
背面側凸部１７は、ボディ基部１６の背面から一体に突設されている。背面側凸部１７のボディ基部１６から略垂直に立ち上がった両側面は互いに略平行であり、これら両側面の背面側をつなぐ背面側凸部１７の背面１７ａは球面の一部を構成している。また、この背面側凸部１７には、その両側面と略平行な一対の溝１７ｂが形成されている。これら一対の溝１７ｂは、背面側凸部１７の頂部を挟んで互いに離間して形成され、それぞれ、背面１７ａに開放している。
【００３３】
一対の円弧状部１８は、図３に一方を代表して示すように、概ね円環状の板を２つに切断した形状を有する。図示した一方の円弧状部１８は、その両端を背面側凸部１７の一方の側面に一体に接続して、背面側凸部１７の一方の側面から外方へ張り出すように設けられている。他方の円弧状部１８も、背面側凸部１７の他方の側面から外方へ突設されている。
【００３４】
これら一対の円弧状部１８は、灯具ボディ１５とカバー１２を組み合わせた状態で、それぞれ、カバー１２の背面側開口端に当接する。各円弧状部１８の外方へ張り出した中央部の外側には、それぞれ、突起１８ａが設けられている。これらの突起１８ａは、背面側凸部１７の両側面からそれぞれ遠ざかる方向に突出している。
【００３５】
また、図４に示すように、灯具ボディ１５は、円弧状部１８の内側と背面側凸部１７の側面との間にそれぞれ形成された一対の凹部１５ａを有する。言い換えると、円弧状部１８の内側と背面側凸部１７の側面との間のボディ基部１６の背面側から一対の凹部１５ａが形成されている。
【００３６】
以上のように、背面側凸部１７の両側面を互いに略平行とし、この背面側凸部１７に一対の溝１７ｂを設け、さらにボディ基部１６に一対の凹部１５ａを設けたため、金属製の灯具ボディ１５を軽量化できた。この結果、後述するように回転操作される灯具１１の軽量化を図ることができ、読書灯１全体の軽量化を図ることができる。その上、上述したように、一対の溝１７ｂ及び一対の凹部１５ａを灯具ボディ１５に形成することによって、灯具ボディ１５の表面積を増やすことができ、この灯具ボディ１５の放熱性能を向上させることができる。
【００３７】
灯具ボディ１５とカバー１２とは、図５に示すように互いに嵌合された状態で、溝１７ｂからボディ基部１６を通ってカバー１２にねじ込まれた一対のねじ１９によって締結される。このように、灯具ボディ１５とカバー１２を締結することで、カバー１２の外面１２ａと灯具ボディ１５の背面側凸部１７の背面１７ａが同心の球面の一部を構成する。
【００３８】
図４および図６に示すように、光源２０は、金属製の基板２０ａ上に例えば白色発光をするＬＥＤ（発光ダイオード）２０ｂを実装した構造を有する。この光源２０は、ボディ基部１６の正面側の端面１６ａ上に熱伝導性シート２１を挟んで取り付けられている。
【００３９】
レンズ２２は、光源２０の正面側に配置される。つまり、レンズ２２は、ＬＥＤ２０ｂが発した光を透過させて出射する位置に配置される。このレンズ２２は、略円筒形の樹脂により形成したレンズホルダ２３内に支持されている。レンズホルダ２３は、二つ割りのホルダ部材を組み合わせて形成されている。レンズホルダ２３は、円筒部１３内に挿入してカバー１２の内側に配置される。そして、レンズホルダ２３は、一対の凹部１５ａの内側からそれぞれ挿入されてボディ基部１６を通ってレンズホルダ２３のねじ電線固定部にねじ込まれたねじ２４（図４に一方のみ図示する。）によって、灯具ボディ１５に締結固定される。
【００４０】
このように、レンズホルダ２３を灯具ボディ１５に締結することにより、レンズホルダ２３とボディ基部１６の端面１６ａとの間に、互いに重なった状態の熱伝導性シート２１と基板２０ａとを挟んで、熱伝導性シート２１を端面１６ａに密接させることができる。これにより、点灯に伴うＬＥＤ２０ｂからの熱を、熱伝導性シート２１を経由してボディ基部１６の端面１６ａに効率良く伝達できる。
【００４１】
つまり、熱源となるＬＥＤ２０ｂを取り付けた灯具ボディ１５を熱伝導率の高い金属により形成し、且つこの灯具ボディ１５に放熱のための凸凹１５ａ、１７ｂを形成することで、効果的な放熱が可能となる。言い換えると、このような放熱構造によって、ＬＥＤ２０ｂの温度上昇を効果的に抑制でき、ＬＥＤ２０ｂの発光性能を長期間にわたって良好に維持できる。
【００４２】
なお、灯具ボディ１５に伝達された熱の一部は、樹脂製のカバー１２にも伝達されるが、円筒部１３は灯具ボディ１５から離間しており、且つ、円筒部１３の内側に樹脂製のレンズホルダ２３を配置したため、ユーザーが接触する円筒部１３の外面が高温になることはない。
【００４３】
電線２６は、光源２０への給電のために用いられる。この電線２６の一端は、例えば図４に示すように、灯具ボディ１５の一方の凹部１５ａの底を通って光源２０の基板２０ａに設けた図示しない給電用のパターンに接続されている。また、この電線２６の他端には、図３に示すように、電気コネクタ２７が取り付けられている。
【００４４】
器具本体３１は、略円筒形の胴部３１ａの正面側に変向規制部７１を連結して組み立てられる。胴部３１ａは、金属、好ましくは鉄よりも軽量でかつ熱伝導性も優れるアルミニウム又はその合金の鋳込みによって形成される。本実施形態では、胴部３１ａをアルミダイカストで形成した。
【００４５】
胴部３１ａは、図１〜図６に示すように、その軸方向中央近くに略円環状の環形部３２を有する。環形部３２の背面側には、一対の円弧状壁３３が一体に突設されている。また、環形部３２の正面側には、円筒壁３８が一体に突設されている。図６に示すように、胴部３１ａの内面には、環形部３２と同じ高さ位置に、摺動ガイド部３９が一体に設けられている。本実施形態では、摺動ガイド部３９を環形部３２と同じ高さ位置に設けたが、必ずしもこの高さ位置に摺動ガイド部３９を設ける必要はない。
【００４６】
摺動ガイド部３９は、胴部３１ａの内周面に沿って環状に連続した形状を有する。この摺動ガイド部３９は、正面側の円筒壁３８に近付くに従って次第に小径となる環状のテーパ面を有する。そして、摺動ガイド部３９の最も小径にされた正面側の開口端３９ａ（図６参照）は、円筒壁３８の内周面に連続している。
【００４７】
摺動ガイド部３９の正面側の開口端３９ａの径は、灯具１１のカバー１２の外面１２ａの最大径より小径にされている。このため、図５に示すように、灯具１を胴部３１ａの背面側から挿通配置したとき、カバー１２の最大径部近くの外面１２ａが摺動ガイド部３９の正面側の開口端３９ａで係止される。つまり、摺動ガイド部３９は、その正面側の開口端３９ａでカバー１２の外面１２ａを受け、灯具１１を摺動可能に支持する。言い換えると、摺動ガイド部３９は、カバー１２の外面１２ａに面で接触するのではなく、最も小径にされた開口端３９ａのみで概ね線接触する。このように摺動ガイド部３９によって支持された灯具１１は、その円筒部１３を円筒壁３８の先端側開口（正面側開口）から突出させた状態に配置される。
【００４８】
一対の円弧状壁３３は、図３に示すように、それらの間に灯具１１を挟む位置関係で相対向して配置されている。各円弧状壁３３の周方向に沿った両端は、それぞれ、隙間Ｇを介して互いに対向している。これら一対の隙間Ｇは、胴部３１ａの周方向に略１８０°離間した位置にある。隙間Ｇの幅は、灯具ボディ１５の突起１８ａの幅より広い。これらの隙間Ｇに突起１８ａを緩挿配置することによって、器具本体３１に対する灯具１１の僅かな回転が許容される。
【００４９】
各円弧状壁３３の環形部３２から離れた背面側の端部には、少なくとも一つのガイド部３４およびばね取付け孔３５が設けられている。各ガイド部３４は、円弧状壁３３の背面側の端面に開放しているとともに、この端面から円弧状壁３３の外面に向けて外側に傾斜して形成されている。ばね取付け孔３５は、ガイド部３４の図中下側（正面側）に隣接して設けられた四角い孔であり、各円弧状壁３３を貫通して形成されている。
【００５０】
各円弧状壁３３の背面側端部近くの内面には、それぞれ、円弧状の段部３６が形成されている。これらの段部３６は、それぞれ、円弧状壁３３の円弧に沿って延びている。各段部３６には、ばね取付け孔３５に連通した凹溝３７が設けられている。
【００５１】
図３に示すように、変向規制部７１は、規制リング７２と、この規制リング７２の裏面側に固定された複数のブラケット７３と、を含む。各ブラケット７３は、矩形の板片を略Ｌ字状に折り曲げた形状を有する。例えば、図４に示すように変向規制部７１を胴部３１ａの円筒壁３８の正面側端部に突き当てた状態で、各ブラケット７３を円筒壁３８の外面に沿わせてねじ止めすることにより、変向規制部７１が胴部３１ａの円筒壁３８に締結固定される。
【００５２】
一方、規制リング７２は、上述した設置部材Ａの裏面側から通孔Ｂの周縁部に固定され、これにより、図４及び図５に示すように、読書灯１が設置部材Ａの背面側に突出した状態で取り付けられる。
【００５３】
規制リング７２の内周部７２ａは、背面側に向けて内側に傾斜して折り曲げられている。言い換えると、内周部７２ａは、背面側に向かう先端が開放した円錐筒状に形成されており、背面側に向けて徐々に径が小さくなっている。この内周部７２ａは、胴部３１ａの円筒壁３８の軸方向長さより短く、円筒壁３８の先端側の開口を通って胴部３１ａの内側に正面側から挿入配置される。
【００５４】
このように規制リング７２を胴部３１ａに装着した器具本体３１の内側に灯具１１を取り付けると、内周部７２ａの挿入方向先端、すなわち小径にされた背面側端部は、灯具１１のカバー１２の外面１２ａに非接触で近接して対向する。つまり、規制リング７２の内周部７２ａは、灯具１１を正面側からみたとき、灯具１１の外面１２ａの一部と胴部３１ａ内面の摺動ガイド部３９を覆って隠すよう機能する。言い換えると、摺動ガイド部３９は、内周部７２ａの背面側の端部より径方向外側に位置し、内周部７２ａによって規定された器具本体３１の開口部Ｊ（図５参照）の径方向外側に外れた位置にある。
【００５５】
上記構造の変向規制部７１は、規制リング７２の一部を灯具１１に当接させることによって、灯具１１の変向角度α１（図５参照）を規定する。具体的には、灯具１１を回転させて図５中左右に変向させたとき、カバー１２の円筒部１３の外面が規制リング７２の内周部７２ａに当接し、この位置で灯具１１の回転が規制される。なお、摺動ガイド部３９は、以下に説明する角度β（図５参照）の範囲内に上述した開口端３９ａが納まる位置に形成されている。
【００５６】
ここで、摺動ガイド部３９の位置を決める角度βについて図５を参照して考察する。  
摺動ガイド部３９は、上述したように、その開口端３９ａによって、灯具１１を器具本体３１の内側で係止せしめて回転自在に保持するよう機能する。このため、角度βの図中上端は、灯具１１を開口端３９ａで支承可能な限界位置であり、この位置より図中上方に開口端３９ａを配置すると、灯具１１が摺動ガイド部３９を通過してしまう。つまり、この限界位置は、器具本体３１の回転中心Ｏを通って中心軸線Ｃと直角に交わる交差直線Ｆより僅かに正面側（図中下方）にずれた位置にする必要があり、交差直線Ｆ上の位置を含まない。
【００５７】
一方、角度βの図中下端は、読書灯１を正面側から見た際の見栄えを良くする位置に設定されている。  
本実施形態の読書灯１は、灯具１１を上述した角度α１の範囲内で変向可能な構造を有するため、灯具１１を支承した摺動ガイド部３９の開口端３９ａとカバー１２の外面１２ａとの間の接触部位同士が擦れ、カバー１２の外面１２ａが経時的に黒く汚れる。この汚れは、灯具１１を回転させて変向させた際に、規制リング７２の内周部７２ａとカバー１２の円筒部１３との間の隙間から見えてしまう可能性があり、読書灯１の見栄えを悪くする要因になる。
【００５８】
このため、本実施形態では、この汚れが読書灯１の正面側から見えない位置に形成されるように、摺動ガイド部３９の開口端３９ａを角度βの範囲内に位置決めした。大雑把に言うと、開口端３９ａがカバー１２の最大径部の近くを支持する位置に摺動ガイド部３９を位置決め配置すれば、正面から汚れを見え難くすることができる。
【００５９】
例えば、図５に示すホームポジション（灯具１１の光軸Ｃが真正面を向く姿勢）に灯具１１を静止した状態から、カバー１２の円筒部１３を図中右側に揺動させて円筒部１３が内周部７２ａに当接するまで灯具１１を変向させると、ホームポジションにある灯具１１の回転中心Ｏと摺動ガイド部３９の開口端３９ａが当接する接触部位とを通る直線Ｅと破線Ｍとの間の外面１２ａが開口端３９ａと擦れる。つまり、この場合、直線Ｅと破線Ｍとの間の外面１２ａが経時的に汚れる。このとき、直線Ｅと破線Ｍとの間の角度は、上述した変向角度α１の半分である。
【００６０】
なお、円筒部１３を内周部７２ａに当接させた状態からそれ以上同じ方向に灯具１１を変向させることができないことから、灯具１１をどのような角度に変向させても、破線Ｍを超えて外面１２ａが開口端３９ａと擦れることがなく、図５の破線Ｍより正面側の外面１２ａが汚れることはない。つまり、この汚れの限界位置Ｍが、灯具１１の変向角度に係りなく、正面側から見えなければ良いことになる。
【００６１】
上述した汚れの限界位置Ｍが見える可能性が最も高い状態、すなわち灯具１１を図５中左側に大きく回転させて円筒部１３を内周部７２ａに当接させた状態まで灯具１１を変向させると、上述した汚れの限界位置Ｍは、図中直線Ｄに重なる位置まで移動する。このとき、破線Ｍと直線Ｄとの間の角度は、上述した灯具１１の変向角度α１の半分の角度となる。つまり、角度α２は、灯具１１の変向角度α１と同じ角度である。これ以上、灯具１１を左側に変向させることができないことから、この直線Ｄとカバー１２の外面１２ａが交差する位置が正面側から見えなければ、汚れの限界位置Ｍが正面から見えることはなく、外面１２ａの汚れが正面から見えることはない。
【００６２】
つまり、灯具１１をホームポジションに配置した状態で、内周部７２ａの端部で隠れる位置より少なくとも背面側を上述した直線Ｄが通るように摺動ガイド部３９の開口端３９ａを位置決めすれば、灯具１１の変向角度に関係なく、汚れが正面から見える不具合を防止することができる。より具体的には、ホームポジションに配置した灯具１１の外面１２ａが内周部７２ａによって隠れる位置（直線Ｄが交差する位置）から背面側に角度α２（すなわち変向角度α１）だけ奥まった位置（直線Ｅが交差する位置）より少なくとも背面側で、外面１２ａと開口端３９ａが接触するよう摺動ガイド部３９を位置決めすれば良いことになる。
【００６３】
なお、摺動ガイド部３９は、その開口端３９ａが角度βの範囲内にあればどこに位置していても良いが、本実施形態の場合には、角度βの図中下端に位置する直線Ｅ上に開口端３９ａを配置した。本実施形態のように摺動ガイド部３９を角度β内の最も正面寄りに配置することにより、灯具１１を確実に支承できるとともに、交差直線Ｆを始点としたカバー１２の開口端部１２ｂの長さを最小にできる点で好ましい。
【００６４】
板ばね４１は、例えば図１および図３に示すように、器具本体３１に形成されたばね取付け孔３５と同数の固定部４２と、これら固定部４２をつなげた押圧部４３と、を有している。
【００６５】
各固定部４２は、好ましい例として、等間隔、例えば１２０°毎に３つ配置されていて、いずれもＬ字形状に曲げられている。押圧部４３は、第１のアーム４３ｂ〜第３のアーム４３ｄを放射状に突出させた形状、言い換えれば、三叉形状をなしている。つまり、各固定部４２は、第１のアーム４３ｂ〜第３のアーム４３ｄの先端を夫々折り曲げて形成されている。この板ばね４１は、夫々の固定部４２をばね取り付け孔３５に外側から挿入して引掛けることにより器具本体３１に取り付けられる。
【００６６】
いずれか一つのアーム、例えば第３のアーム４３ｄは、その側方に一体に突出した電線固定部４４を有している（図１及び図３参照）。電線固定部４４は、第３のアーム４３ｄの側縁との間に溝４５を有するＴ字形状に形成されている。
【００６７】
押圧部４３の中央部４３ａ、言い換えれば、第１のアーム４３ｂ〜第３のアーム４３ｄが合わさった部位には、接触部材４７が設けられている。詳しくは、接触部材４７は、灯具ボディ１５の構成材料より強度が弱く、かつ好ましくは摩擦係数が小さな材料、例えば硬質な合成樹脂により形成されている。この接触部材４７は、上述した中央部４３ａに開けた孔４３ｅ（図３参照）に灯具ボディ１５側から軽圧入して取り付けられている。接触部材４７は、孔４３ｅより大径な端部を有しており、この端部は灯具ボディ１５の球面状の背面１７ａに接触する。
【００６８】
ストッパ５１は、図３に示すように、例えば金属のリングで形成されている。このリング形のストッパ５１の外周の一部には、回り止め凸部５２が一体に突設されている。回り止め凸部５２の幅は、上述した隙間Ｇの幅と略等しく形成されている。回り止め凸部５２は、隙間Ｇに嵌合される。ストッパ５１の内周には、逃げ溝５３が設けられている。この逃げ溝５３は、器具本体３１の外側に引出される電線２６との干渉を避けるために設けられている。図４及び図５に示すように、ストッパ５１は、段部３６に支持されて器具本体３１の内部に配置される。
【００６９】
次に、器具本体３１、板ばね４１、ストッパ５１、及び予め組み立てられた灯具１１を用意して、読書灯１を組み立てる手順について説明する。  
用意された灯具１１には、電線２６が予め接続されており、図３に示した固定手段６１によって電線２６が灯具ボディ１５に固定されている。固定手段６１は、金属板片からなる電線ホルダ６２と、この電線ホルダ６２を背面凸部１７の一側面に固定するねじ６３と、を含む。電線２６は、電線ホルダ６２に通され、電線２６が通された電線ホルダ６２の部位が、縮径するように塑性変形され、電線２６が電線ホルダ６２に対して移動できないように保持される。この電線２６は、ボディ基部１６を通って光源２０へと導かれている。
【００７０】
読書灯１を組み立てる場合、まず、器具本体３１の一対の隙間Ｇに灯具１１の一対の突起１８ａを位置合わせし、灯具１１を、そのカバー１２を先頭にして器具本体３１の背面側から内側に収容配置する。これにより、円筒部１３を含むカバー１２の頂部側部分が器具本体３１の摺動ガイド部３９の内側に挿通され、この摺動ガイド部３９の最も小径にされた開口端３９ａに灯具１１の外面１２ａが接触して灯具１１が支承される。このとき、一対の突起１８ａが対応する一対の隙間Ｇ内に配置される。
【００７１】
この状態で、灯具１１の背面凸部１７の球面状の背面１７ａは、器具本体３１の円弧状壁３３より高く突出する。また、この状態で、灯具１１の円筒部１３の正面側の端部は、器具本体３１の変向規制部７１の規制リング７２を通り抜けて、変向規制部７１の正面側に突出する。
【００７２】
上記のように灯具１１を器具本体３１内に挿入配置した後、器具本体３１の背面側に灯具１１から引き出されている電線２６に対して逃げ溝５３が対向するように、ストッパ５１を器具本体３１に装着する。このとき、器具本体３１の段部３６にストッパ５１を載せ、このストッパ５１の回り止め凸部５２を一方の隙間Ｇに嵌合させる。
【００７３】
これにより、灯具１１の背面凸部１７が、ストッパ５１に接することなくストッパ５１の内側に通される。また、これにより、ストッパ５１が、灯具１１の円弧状部１８に対して、器具本体３１の中心線Ｃに沿った背面側に離れて配置される。この離間距離を図４に符号Ｌで示す。離間距離Ｌは、器具本体３１に対して灯具１１を人間の手で動かすことを許容するために設けられる。
【００７４】
次に、予め接触部材４７を取り付けた板ばね４１を器具本体３１に取り付ける。このとき、板ばね４１の３つの固定部４２を夫々器具本体３１のガイド部３４に合わせた状態で、板ばね４１を灯具１１に向けて押しつける。これにより、各固定部４２が、板ばね４１の弾性変形を伴って、ガイド部３４を滑りながら通過し、ガイド部３４を通過した後、ばね取付け孔３５に入り込んで引っ掛かる。このとき、図５に示すように、各固定部４２と段部３６との間にストッパ５１が挟まれて、ストッパ５１が器具本体３１に固定される。つまり、本実施形態によると、板ばね４１を器具本体３１に取り付けると同時に、ストッパ５１を器具本体３１に固定でき、作業性を良くすることができる。
【００７５】
以上のように、灯具１１を押える板ばね４１の複数の固定部４２を利用して、複数の固定部４２と器具本体３１の段部３６との間にストッパ５１を挟んで固定することにより、格別な部品を要することなく、簡単な操作で、ストッパ５１を器具本体３１に取り付けできる。
【００７６】
上記のように板ばね４１を器具本体３１に取り付けると、この板ばね４１の押圧部４３は、灯具１１の背面１７ａによって押されて僅かに背面側に膨出するように弾性変形した状態となる。言い換えると、このような板ばね４１の弾性変形によって灯具１１の外面１２ａが器具本体３１の摺動ガイド部３９に押し付けられる。なお、このとき、板ばね４１の中央部４３ａに取り付けた接触部材４７が板ばね４１の復元力によって灯具１１の背面１７ａに押し付けられる。
【００７７】
つまり、この状態で、器具本体３１の摺動ガイド部３９の開口端３９ａとこれに押し付けられた灯具１１の外面１２ａとの間の摩擦力、および灯具１１の背面１７ａとこれに押付けられた接触部材４７との間の摩擦力によって、灯具１１が器具本体３１に対して静止状態に保持される。また、この状態から、これら摩擦力を超える力で灯具１１の円筒部１３を傾倒させることで、灯具１１を所望の角度に回転させることができ、さらに回転後の位置に停止させることもできる。
【００７８】
最後に、電線２６を図１のように引き回して、この電線２６の中途部を電線止め６５（図１及び図３参照）を用いて電線固定部４４に括り付ける。電線止め６５は、第３のアーム４３ｄの背面側に電線２６を固定するためのものであり、例えば樹脂製のバンドが用いられる。
【００７９】
上記のように組み立てた読書灯１（灯具１１）の向きを変える場合、灯具１１の円筒部１３に指を掛けて、灯具１１を静止状態に保持している上述した摩擦力に勝る操作力を灯具１１に与える。このとき、灯具１１の外面１２ａは、器具本体３１の摺動ガイド部３９の開口端３９ａによってガイドされて滑り動き、且つ、灯具１１の背面１７ａは、板ばね４１に取り付けた接触部材４７に接触して滑り動く。つまり、灯具１１は、常に摩擦力が付与された状態で回転される。このため、灯具１１が所望の向きに回転された時点で、円筒部１３から手を離すことにより、そのときの位置に灯具１１を静止させることができる。
【００８０】
以上のように、本発明の実施形態に係る読書灯１によると、灯具１１と器具本体３１が摺接する灯具１１側の摺接部位（外面１２ａ）と器具本体３１側の摺接部位（開口端３９ａ）が金属と樹脂の組み合わせになっており、且つ灯具１１側の摺接部位（背面１７ａ）と板ばね４１に取り付けられた接触部材４７も金属と樹脂の組み合わせになっている。このため、摺接部位同士のなじみが良く、接触面にかじりを生じることもなく、両者が擦れる際に操作音が発生することもなく、灯具１１の回転を滑らかにでき、操作性を向上させることができる。なお、金属と樹脂を組み合わせたときの摩擦係数は、一般に、０．１５程度とされている。
【００８１】
これに対し、例えば、摺接部位が両方とも金属である場合、摩擦係数は、０．５程度であり、同種の金属同士である場合には、両者の間の摩擦係数は、０．８〜１．０程度となる。つまり、金属同士を摺接させる場合と比較して、金属と樹脂を摺接させる場合には、摩擦係数が１／４〜１／５程度に低減され、両者間の摺動を円滑にできる。
【００８２】
また、このような状態は、経時的にも長時間にわたって維持することができ、灯具１１の変向操作に係る操作性を長期間にわたって良好に維持できる。
【００８３】
また、上述した摺接部位における金属と樹脂の組み合わせは、上述した実施形態で説明した組み合わせがベストモードと考えられる。つまり、人が接触する可能性が最も高い灯具１１のカバー１２の円筒部１３は、高温に加熱されると火傷などの危険があり好ましくない。このため、灯具１１のカバー１２は、金属材料より比較的熱伝導率の低い樹脂材料で形成することが望ましい。このことから、カバー１２の外面１２ａに摺接する摺動ガイド部３９を一体に有する器具本体３１は、金属材料によって形成することが望ましい。また、このように、概ね読書灯１の外殻を成す器具本体３１を金属材料によって形成することで、光源２０からの熱が器具本体３１の内側にこもることも防止できる。
【００８４】
一方、灯具１１の背面側部分を構成する灯具ボディ１５には、熱源となる光源２０（ＬＥＤ）が取り付けられるため、最も高温に加熱される。つまり、灯具ボディ１５は、熱を効率良く放出できる材料によって形成すべきであり、金属材料によって形成することが望ましい。特に、灯具ボディ１５は、人が接触する位置に露出していないため、灯具ボディ１５に人が接触する可能性も無く、樹脂材料で形成する必要もない。また、本実施の形態では、灯具ボディ１５に複数の凹部１５ａ、１７ｂを形成することで、放熱効果を高めている。
【００８５】
これに対し、灯具ボディ１５の背面１７ａに接触する接触部材４７は、樹脂材料で形成される。見方を変えると、灯具１１を押圧する板ばね４１は、金属材料で形成する必要があるため、灯具ボディ１５を金属材料で形成した場合には、板ばね４１との間に接触部材４７を介在させる必要がある。つまり、接触部材４７を介在させないと、金属同士が摺接することになって、経時的にかじりを生じてしまう。
【００８６】
なお、本実施形態では、上述したように樹脂と金属を組み合わせたが、必ずしも上述した組み合わせを選択する必要はない。例えば、放熱の心配が無いような場合には、灯具ボディ１５を樹脂材料によって形成しても良く、この場合、金属製の板ばね４１との間に樹脂製の接触部材４７を介在させる必要が無くなり、その分、読書灯１の部品点数を少なくでき、製造コストを低減できる。
【００８７】
また、本発明の実施形態に係る読書灯１によると、上述したように、摺動ガイド部３９の開口端３９ａが灯具１１のカバー１２の外面１２ａに摺接し、外面１２ａが経時的に汚れる。しかし、本実施形態によると、灯具１１を支持する摺動ガイド部３９の開口端３９ａを上述した角度βの範囲内に配置することで、外面１２ａの汚れを灯具１１の正面側から見えないようにしている。
【００８８】
つまり、角度βの範囲内に開口端３９ａを配置することで、灯具１１が最大の変向角度α１で変向された場合であっても、カバー１２の外面１２ａの汚れが、変向規制部７１の規制リング７２の内周部７２ａと灯具１１の円筒部１３との間の隙間から見えることはなく、結果として、読書灯１の見栄えを良くすることができる。
【００８９】
また、本実施形態の読書灯１によると、熱源となる光源２０を取り付けた灯具ボディ１５を金属材料で形成したため、光源２０からの熱を効果的に放熱できる。特に、本実施形態では、灯具ボディ１５の背面側に複数の凹部１５ａ、１７ｂからなる放熱構造を設けたため、灯具ボディ１５の表面積を大きくでき、灯具１１の軽量化とともに、より効果的な放熱が可能となる。
【００９０】
また、本実施形態の読書灯１は、ユーザーによって円筒部１３を強く押し込まれた場合、その移動を規制するとともに、板ばね４１の永久変形を防止するためのストッパ５１を有する。板ばね４１の押圧力に抗して灯具１１が過大な力で押し込まれると、灯具ボディ１５の背面側の球面の一部がストッパ５１で係止され、それ以上の押し込みが規制される。すなわち、灯具１１の押し込み量は、ストッパ５１と灯具ボディ１５の背面１７ａとの離間距離に相当し、図４に示す距離Ｌである。このとき、灯具ボディ１５の背面１７ａが球面の一部を有しているので、灯具ボディ１５の向きによらず距離Ｌは一定となり、板ばね４１の変形を確実に防止することができる。
【００９１】
このように、灯具１１がストッパ５１に当接した状態で、板ばね４１が最も変形した状態となる。つまり、ストッパ５１によって灯具１１の押し込みが禁止されるため、板ばね４１がこれ以上変形することはない。言い換えると、板ばね４１を永久変形させないためには、この押し込み量Ｌを板ばね４１の特性に合せて設定すれば良いことになる。
【００９２】
本実施形態では、ストッパ５１の取り付け位置を、板ばね４１が永久変形することのない位置（距離Ｌ）に設定した。ストッパ５１をこの位置に配置することで、板ばね４１が最も変形した後でも、灯具１１に対する押圧力が消失した際には、灯具１１が元の状態に戻る。つまり、ストッパ５１の取り付け位置を上記のように適正化することで、板ばね４１による押圧力が経時的に弱まることを防止でき、灯具１１に作用する摩擦力を長期にわたって一定に維持でき、灯具１１の向きを確実に保持できる。
【００９３】
また、図３に示すように、リング状のストッパ５１を用いることで、灯具１１の向きや押し込み方向にかかわらず、灯具１１をストッパ５１で確実に係止できる。また、灯具１１を押し込んでストッパ５１に当接させた状態で変向させる場合には、ストッパ５１が灯具１１の回転中心を安定させるよう機能し、変向操作を滑らかにできる。
【００９４】
さらに、本実施形態の読書灯１は、灯具１１の灯具ボディ１５より強度が低い樹脂材料からなる接触部材４７を、板ばね４１の押圧部４３と灯具ボディ１５の背面１７ａとの間に挟設したので、灯具１１の変向操作に伴い、この灯具１１の背面１７ａがこれよりも硬い板ばね４１と直接接して摩耗することを防止できる。これにより、灯具１１に作用する摩擦力を長期にわたって維持でき、灯具１１の変向操作時における操作力を略一定に持続できる。
【００９５】
なお、本実施形態では、接触部材４７を板ばね４１に取り付けた場合について説明したが、これに限らず、灯具１１の灯具ボディ１５の背面１７ａに接触部材４７を取り付けても良い。
【００９６】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【００９７】
例えば、上述した実施形態では、器具本体３１の摺動ガイド部３９を、周方向に連続した環状に形成したが、これに限らず、周方向に沿って複数個所で分割した形状としても良い。例えば、３箇所で分割した３つの円弧状の摺動ガイド部を周方向に等間隔で配置しても良い。
【００９８】
また、上述した実施形態では、器具本体３１の摺動ガイド部３９とそれ以外の部位を一体に形成したが、これに限らず、摺動ガイド部３９をそれ以外の部位とは別の材料で形成しても良い。この場合、例えば、金属材料で形成した摺動ガイド部３９を、樹脂材料で一体に形成した胴部３１ａの環形部３２、円弧状壁３３、および円筒壁３８に接合すれば良い。
【００９９】
また、上述した実施形態では、灯具１１のカバー１２の頂部から円筒部１３を凸設して、この円筒部１３の内側にレンズ２２などを配置したが、円筒部１３を無くして、球面の一部からなる外面１２ａに光を通す開口部を直接形成して、この開口部を介してスポット光を照射するようにしても良い。また、上述した実施形態では、読書灯１の光源２０として発光ダイオードを用いた場合について説明したが、これに限らず、ＬＥＤ以外のランプを光源２０として用いることができる。
【０１００】
さらに、上述した実施形態では、灯具１１の回転を規制する変向規制部７１を、器具本体３１と別体に形成した場合について説明したが、これに限らず、変向規制部７１を器具本体３１と一体に成形することもできる。この場合、読書灯１を構成する部品点数を削減できるとともに、読書灯１の組み立て工数を削減できる。
以下、本願の出願当初の特許請求の範囲に記載された発明を付記する。
［１］
光源を内蔵しているとともに球面の一部をその表面に含む灯具と；
上記光源からの光が照射される上記灯具の正面側で上記球面の一部を構成する上記灯具の外面に接触して当該灯具を回転可能に支える摺動ガイド部と；
この摺動ガイド部に上記灯具の上記外面を押し付けるように、上記灯具の背面側で上記球面の一部を構成する上記灯具の背面に押圧力を作用せしめるばねと；を有し、
上記灯具は、
上記背面を有するとともに上記光源を取り付けた金属製の背面側部位と；
上記外面を有する正面側部位と；を有し、
上記摺動ガイド部および正面側部位のうち一方を金属材料によって形成し、他方を樹脂材料によって形成したことを特徴とする照明器具。
［２］
上記背面と上記ばねの間に配置された樹脂製の接触部材をさらに有することを特徴とする［１］に記載の照明器具。
［３］
上記ばねの押圧力に抗して上記灯具が上記背面側に押し込まれたとき、上記ばねが永久変形する手前で当該灯具の移動を規制するストッパをさらに有することを特徴とする［１］に記載の照明器具。
［４］
上記灯具の正面側から見て上記外面の少なくとも一部と上記摺動ガイド部を覆うとともに、上記灯具の回転を一定の変向角度内に規制する変向規制部をさらに有し、
上記灯具を上記一定の変向角度の範囲内で変向させたときに上記摺動ガイド部が摺接する上記外面上の摺接部位が、上記灯具の向きに係らず、上記正面側から見えないように、当該摺接部位が上記変向規制部によって常に隠される位置関係で、上記摺動ガイド部を位置決め配置したことを特徴とする［１］に記載の照明器具。
【符号の説明】
【０１０１】
１…読書灯、１１…灯具、１２…カバー、１２ａ…外面、１３…円筒部、１５…灯具ボディ、１７ａ…背面、２０…光源、３１…器具本体、３９…摺動ガイド部、３９ａ…開口端、４１…板ばね、７１…変向規制部、７２ａ…内周部、Ｃ…器具本体の中心軸線、Ｄ…直線、Ｅ…直線、Ｆ…交差直線、Ｏ…灯具の回転中心、α１…灯具の変向角度、α２…変向角度と同じ角度、β…開口端を配置する範囲。
【図１】
0005332770.tif 000002
【図２】
0005332770.tif 000003
【図３】
0005332770.tif 000004
【図４】
0005332770.tif 000005
【図５】
0005332770.tif 000006
【図６】
0005332770.tif 000007